(57)【要約】【課題】画像信号に他の信号が重畳されている場合でも、ケーブル長の違いや伝送特性の違いに起因して生じる各画像信号の位相ずれを調整できる遠隔ユニット及び遠隔システムを提供する。【解決手段】受信装置２０は、ネットワークＩ／Ｆ２０Ａで受信された信号のうち、同期信号・画像信号重畳信号を分離する同期信号・画像信号分離回路２１ａ，２１ｂと、同期信号を検出する同期信号検出回路２２ａ，２２ｂと、画像信号（Ｇ），（ｂ）の時間的な遅延量（スキュー）を調整する画像信号スキュー調整回路２３ａ，２３ｂとを有する。尚、画像信号（Ｒ）は予め固定された遅延素子（図中ＤＬＹで示す）２４で所定時間、遅延されるように構成する。画像信号（ＲＧＢ）の遅延量の調整は、画像信号スキュー調整回路２３ａ，２３ｂにおけるスキュー調整つまみ２３ａ−２，２３ｂ−２を操作することで、実行できる。【選択図】          図４
2004356939.tif 000002
【特許請求の範囲】
【請求項１】
第１のネットワークを介して他の信号が重畳された画像信号を受信する受信手段と、画像信号を第２のネットワークへ出力する出力手段とを有する遠隔ユニットであって、
前記画像信号と前記他の信号とを分離する分離手段と、
前記画像信号の遅延量を調整する調整手段と
を有することを特徴とする遠隔ユニット。
【請求項２】
前記画像信号はＲ，Ｇ，Ｂの３つであり、
前記調整手段は３つの前記画像信号のうち何れか１つを基準として他の２つの遅延量を調整することを特徴とする請求項１記載の遠隔ユニット。
【請求項３】
前記調整手段の遅延量を調整するためのつまみを有することを特徴とする請求項１記載の遠隔ユニット。
【請求項４】
前記第１のネットワークとのコネクタ部としてＲＪ型コネクタを有することを特徴とする請求項１記載の遠隔ユニット。
【請求項５】
前記画像信号はＲ，Ｇ，Ｂの３つであり、
前記受信手段は前記第１のネットワークとのコネクタにおける３つの端子を介してＲ，Ｇ，Ｂ毎の前記画像信号を受信することを特徴とする請求項１記載の遠隔ユニット。
【請求項６】
前記他の信号は前記画像信号の水平同期信号又は垂直同期信号であることを特徴とする請求項１記載の遠隔ユニット。
【請求項７】
前記分離手段はマルチプレクサを含んで構成されていることを特徴とする請求項１記載の遠隔ユニット。
【請求項８】
前記調整手段は可変インピーダンス素子を含んで構成されていることを特徴とする請求項１記載の遠隔ユニット。
【請求項９】
前記水平同期信号又は前記垂直同期信号を検出する検出手段を有し、
前記分離手段はマルチプレクサを含んで構成され、
前記マルチプレクサは前記検出手段で検出された前記水平同期信号又は前記垂直同期信号が入力されている期間、接地電位を出力し、当該期間以外、前記他の信号が重畳された前記画像信号を出力することで、前記水平同期信号又は前記垂直同期信号と前記画像信号とを分離することを特徴とする請求項６記載の遠隔ユニット。
【請求項１０】
前記検出手段は比較器を含んで構成されていることを特徴とする請求項９記載の遠隔ユニット。
【請求項１１】
第１のネットワークを介して他の信号が重畳された画像信号を受信する受信手段と、画像信号を第２のネットワークへ出力する出力手段とを有する遠隔ユニットであって、
前記画像信号と前記他の信号とを分離する分離手段と、
前記画像信号のうち何れかを基準とした他の画像信号の遅延量を検出する検出手段と、
前記検出手段で検出した前記遅延量に基づいて前記他の画像信号の遅延量を調整する調整手段と
を有することを特徴とする遠隔ユニット。
【請求項１２】
第１のネットワークを介して画像信号を送信する送信装置と、前記第１のネットワークを介して前記画像信号を受信する受信装置とを有する遠隔ユニットであって、
前記送信装置は、前記画像信号に他の信号を重畳する重畳手段と、前記他の信号が重畳された前記画像信号を前記第１のネットワークへ送信する送信手段とを有し、
前記受信装置は、前記第１のネットワークを介して前記画像信号を受信する受信手段と、前記画像信号と前記他の信号とを分離する分離手段と、前記画像信号の遅延量を調整する調整手段と
を有することを特徴とする遠隔システム。
【請求項１３】
第１のネットワークを介して画像信号を送信する送信装置と、前記第１のネットワークを介して前記画像信号を受信する受信装置とを有する遠隔ユニットであって、
前記送信装置は、前記画像信号に他の信号を重畳する重畳手段と、前記他の信号が重畳された前記画像信号を前記第１のネットワークへ送信する送信手段とを有し、
前記受信装置は、前記第１のネットワークを介して前記画像信号を受信する受信手段と、前記画像信号と前記他の信号とを分離する分離手段と、前記画像信号のうち何れかを基準とした他の画像信号の遅延量を検出する検出手段と、前記検出手段で検出した前記遅延量に基づいて前記他の画像信号の遅延量を調整する調整手段と
を有することを特徴とする遠隔システム。
【発明の詳細な説明】
【０００１】
【発明の属する技術分野】
本発明は、遠隔ユニット及び遠隔システムに関し、特に遠隔地に配設されたサーバの操作画面を表示できる遠隔ユニット及び遠隔システムに関する。
【０００２】
【従来の技術】
一般的なディスプレイ装置は、入力されたＲ（Ｒｅｄ），Ｇ（Ｇｒｅｅｎ），Ｂ（Ｂｌｕｅ）の３種類の画像信号を用いて画面を走査することで入力画像を表示するように構成されていた。この際、各画像信号と並列に水平同期信号（ＨＳＹＮＣ）及び垂直同期信号（ＶＳＹＮＣ）が入力されており、これに基づいて各画像信号間の水平方向の同期及び垂直方向の同期を取るように構成されていた。
【０００３】
このため、通常使用されるＢＮＣケーブルやＤ−ｓｕｂ１５ｐｉｎケーブル等のディスプレイ用ケーブルは、各画像信号用の３本の信号線と各同期信号用の２本の信号線との合計５本で形成されていた。
【０００４】
但し、ディスプレイ装置では、Ｒ，Ｇ，Ｂの各画像信号の同期が得られない場合、画面上で色ずれが生じたり、画面がぼやけたりというような問題が生じる。このため、各画像信号を伝送するケーブル間で正確な同期を得る必要がある。
【０００５】
ケーブル間の遅延量の違いによる同期ずれを解決する技術としては、以下に示す特許文献１に開示された構成が存在する。この特許文献１には、ディジタルアドレス型ディスプレイにおいて、ディジタルビデオ信号と水平同期ディジタル信号と垂直同期ディジタル信号とを各々別のケーブルで送信し、このケーブル間で遅延量の差を補正する構成が開示されている。
【０００６】
また近年、遠隔地に設けたサーバ等を百メートル以上離れたユーザの手元で操作する技術が注目されつつある。このような技術では、遠隔地にあるサーバとユーザの手元にあるディスプレイ装置及びキーボード等を何らかの手段により接続しなければならない。そこで従来では、サーバとディスプレイ装置との間に中間ノードとなる送信側の遠隔ユニットと受信側の遠隔ユニットとを設け、これらの間をＬＡＮ（Ｌｏｃａｌ  Ａｒｅａ  Ｎｅｔｗｏｒｋ）ケーブルで接続していた。
【０００７】
サーバ側とユーザ側との間に遠隔ユニットを配置したシステムでは、送受信するデータ信号の種類として、３つの画像信号（ＲＧＢ）と水平同期信号と垂直同期信号とキーボードやマウス等から入力された操作データ信号とが存在する。しかしながら、Ｃａｔ５Ｅ等の一般的なＬＡＮケーブルは、４つの信号線で構成されている。このため、各データ信号を固有の信号線で送信することが不可能である。
【０００８】
このような問題を解決する方法としては、例えば以下に示す特許文献２で開示されるように、１つの画像信号に何れか一方の同期信号を重畳して送信する技術が存在する。
【０００９】
【特許文献１】
実開昭６３−１３３７７７号公報
【特許文献２】
特表平１０−５０９５４５号公報
【００１０】
【発明が解決しようとする課題】
しかしながら、このように画像信号に同期信号を重畳した場合、上記特許文献１で開示された技術を用いて、各画像信号の同期を調整することは困難である。これは特許文献１が信号毎の位相同期を得るための構成であり、これに含まれる各信号毎の位相同期を得るための構成ではないためである。
【００１１】
また、特許文献１で開示された技術は、ディジタルビデオ技術であるため、アナログのディスプレイ装置のようにＲＧＢの各画像信号が分離された構成となっておらず、これらの同期を得るための構成が考慮されていない。
【００１２】
そこで本発明は、画像信号に他の信号が重畳されている場合でも、ケーブル長の違いや伝送特性の違いに起因して生じる各画像信号の位相ずれを調整できる遠隔ユニット及び遠隔システムを提供することを目的とする。
【００１３】
【課題を解決するための手段】
かかる目的を達成するために、本発明は、請求項１記載のように、第１のネットワークを介して他の信号が重畳された画像信号を受信する受信手段と、画像信号を第２のネットワークへ出力する出力手段とを有する遠隔ユニットであって、前記画像信号と前記他の信号とを分離する分離手段と、前記画像信号の遅延量を調整する調整手段とを有する。他の信号が重畳された画像信号を分離し、分離後の画像信号に基づいて、遅延量（スキュー）の調整を行う構成としたことで、画像信号に他の信号が重畳されている場合でも、ケーブル長の違いや伝送特性の違いに起因して生じる各画像信号の位相ずれを調整することができる。
【００１４】
また、請求項１記載の前記遠隔ユニットは、好ましくは請求項２記載のように、前記画像信号がＲ，Ｇ，Ｂの３つであり、前記調整手段が３つの前記画像信号のうち何れか１つを基準として他の２つの遅延量を調整するように構成される。３原色の何れかを基準として他の色に関する画像信号の遅延量を調整する構成としたことで、基準とした画像信号に対する調整手段を実現するための回路構成を必要とせず、小型化することができる。
【００１５】
また、請求項１記載の前記遠隔ユニットは、例えば請求項３記載のように、前記調整手段の遅延量を調整するためのつまみを有するように構成しても良い。
【００１６】
また、請求項１記載の前記遠隔ユニットは、請求項４記載のように、前記第１のネットワークとのコネクタ部としてＲＪ型コネクタを有することが好ましい。すなわち、一般的なＬＡＮで使用されるＲＪ型コネクタを使用することで、第１のネットワークを構成するケーブルに、比較的安価なＬＡＮケーブルを使用することが可能となる。また、ＬＡＮケーブルは入手が容易な点からも有効である。
【００１７】
また、請求項１記載の前記遠隔ユニットは、例えば請求項５記載のように、前記画像信号はＲ，Ｇ，Ｂの３つであり、前記受信手段が前記第１のネットワークとのコネクタにおける３つの端子を介してＲ，Ｇ，Ｂ毎の前記画像信号を受信するように構成することもできる。
【００１８】
また、請求項１記載の前記他の信号は、請求項６記載のように、前記画像信号の水平同期信号又は垂直同期信号であることが好ましい。通常、画像信号，水平同期信号及び垂直同期信号を別々の信号線で送信しようとすると、最低でも５本の信号線が必要である。そこで、水平同期信号及び垂直同期信号をそれぞれ何れかの画像信号に重畳して送信することで、使用する信号線の数を低減することが可能となる。
【００１９】
また、請求項１記載の前記分離手段は、例えば請求項７記載のように、マルチプレクサを含んで構成されていてもよい。
【００２０】
また、請求項１記載の前記調整手段は、例えば請求項８記載のように、可変インピーダンス素子を含んで構成されていてもよい。
【００２１】
また、請求項６記載の前記遠隔ユニットは、例えば請求項９記載のように、前記水平同期信号又は前記垂直同期信号を検出する検出手段を有し、前記分離手段がマルチプレクサを含んで構成され、前記マルチプレクサが前記検出手段で検出された前記水平同期信号又は前記垂直同期信号が入力されている期間、接地電位を出力し、当該期間以外、前記他の信号が重畳された前記画像信号を出力することで、前記水平同期信号又は前記垂直同期信号と前記画像信号とを分離するように構成することもできる。
【００２２】
また、請求項９記載の前記検出手段は、請求項１０記載のように、比較器を含んで構成されていてもよい。
【００２３】
また、本発明は、請求項１１記載のように、第１のネットワークを介して他の信号が重畳された画像信号を受信する受信手段と、画像信号を第２のネットワークへ出力する出力手段とを有する遠隔ユニットであって、前記画像信号と前記他の信号とを分離する分離手段と、前記画像信号のうち何れかを基準とした他の画像信号の遅延量を検出する検出手段と、前記検出手段で検出した前記遅延量に基づいて前記他の画像信号の遅延量を調整する調整手段とを有する。他の信号が重畳された画像信号を分離し、分離後の画像信号に基づいて、遅延量（スキュー）の調整を行う構成としたことで、画像信号に他の信号が重畳されている場合でも、ケーブル長の違いや伝送特性の違いに起因して生じる各画像信号の位相ずれを調整することができる。また、受信した画像信号の何れかを基準として他の画像信号の遅延量を検出し、これに基づいて調整する構成としたことで、自動的に遅延量を調整できる。
【００２４】
また、本発明は、請求項１２記載のように、第１のネットワークを介して画像信号を送信する送信装置と、前記第１のネットワークを介して前記画像信号を受信する受信装置とを有する遠隔ユニットであって、前記送信装置が、前記画像信号に他の信号を重畳する重畳手段と、前記他の信号が重畳された前記画像信号を前記第１のネットワークへ送信する送信手段とを有し、前記受信装置が、前記第１のネットワークを介して前記画像信号を受信する受信手段と、前記画像信号と前記他の信号とを分離する分離手段と、前記画像信号の遅延量を調整する調整手段とを有する。送信側で画像信号に他の信号を重畳し、受信側でこれらを分離後、分離された画像信号に基づいて、遅延量（スキュー）の調整を行う構成としたことで、画像信号に他の信号を重畳した場合でも、ケーブル長の違いや伝送特性の違いに起因して生じる各画像信号の位相ずれを調整することができる。
【００２５】
また、本発明は、請求項１３記載のように、第１のネットワークを介して画像信号を送信する送信装置と、前記第１のネットワークを介して前記画像信号を受信する受信装置とを有する遠隔ユニットであって、前記送信装置が、前記画像信号に他の信号を重畳する重畳手段と、前記他の信号が重畳された前記画像信号を前記第１のネットワークへ送信する送信手段とを有し、前記受信装置が、前記第１のネットワークを介して前記画像信号を受信する受信手段と、前記画像信号と前記他の信号とを分離する分離手段と、前記画像信号のうち何れかを基準とした他の画像信号の遅延量を検出する検出手段と、前記検出手段で検出した前記遅延量に基づいて前記他の画像信号の遅延量を調整する調整手段とを有する。送信側で画像信号に他の信号を重畳し、受信側でこれらを分離後、分離された画像信号に基づいて、遅延量（スキュー）の調整を行う構成としたことで、画像信号に他の信号を重畳した場合でも、ケーブル長の違いや伝送特性の違いに起因して生じる各画像信号の位相ずれを調整することができる。また、受信した画像信号の何れかを基準として他の画像信号の遅延量を検出し、これに基づいて調整する構成としたことで、自動的に遅延量を調整できる。
【００２６】
【発明の実施の形態】
以下、本発明の好適な実施形態について図面を用いて詳細に説明する。
【００２７】
〔第１の実施形態〕
まず、本発明の第１の実施形態について図面を用いて詳細に説明する。図１は、本実施形態による遠隔ユニットを用いた遠隔システムの構成を示すブロック図である。
【００２８】
図１に示すように、本実施形態による遠隔システムは、サーバ３０とディスプレイ４０及びキーボードやマウス等（以下、キーボード／マウスという）５０との間に、遠隔ユニットとして送信装置１０と受信装置２０とが設けられた構成を有する。
【００２９】
送信装置１０と受信装置２０とは、ＬＡＮケーブル１００で送受信可能に接続される。これを実現するために、送信装置１０及び受信装置２０には、それぞれネットワークインタフェース（以下、インタフェースをＩ／Ｆと略す）１０Ａ及び２０Ａが組み込まれている。尚、ＬＡＮケーブル１００には、例えばＣａｔ５Ｅストレートケーブル等を適用することができるが、好ましくはコネクタがＲＪ４５型のジャックで形成されているものを使用するとよい。これは一般的なＬＡＮで使用されるコネクタであり、これにより、ユーザが入手し易いケーブルを利用することができる。また、このネットワークＩ／Ｆ１０Ａ，２０Ａは、ＯＳＩ参照モデルにけるネットワークインタフェース層を担うものでなく、３つの画像信号（ＲＧＢ：以下、何れでもよい場合は単に画像信号という），水平同期信号ＨＳＹＮＣ，垂直同期信号ＶＳＹＮＣ（以下、何れでも良い場合は単に同期信号という）及びキーボード／マウス５０から入力された信号（これを操作信号という）を送信又は受信できる構成であれば、如何なるものも適用することができる。
【００３０】
送信装置１０は、パーソナルコンピュータやワークステーションやその他の情報処理装置等で構成されたサーバ３０から画像信号（ＲＧＢ），水平同期信号及び垂直同期信号を入力するためのディスプレイコネクタとしてＶＧＡ（Ｖｉｄｅｏ  Ｇｒａｐｈｉｃｓ  Ａｒｒａｙ）コネクタ１０Ｂを有する。このＶＧＡコネクタ１０Ｂには例えばＢＮＣコネクタやＤ−ｓｕｂ１５ｐｉｎコネクタ等の一般的なコネクタを使用することができる。
【００３１】
また、送信装置１０は、受信装置２０を介して入力したキーボード／マウス５０の操作信号を同サーバ３０へ入力するためのキーボード／マウスコネクタ１０Ｃを有する。このキーボード／マウスコネクタ１０Ｃは、例えばＰＳ／２コネクタやＵＳＢ（Ｕｎｉｖｅｒｓａｌ  Ｓｅｒｉａｌ  Ｂｕｓ）コネクタやその他のシリアルコネクタ等、一般的なキーボード及びマウスの接続に使用されるコネクタを使用することができる。
【００３２】
尚、サーバ３０には、一般的な情報処理装置と同様に、画像信号（ＲＧＢ）を出力するためのＶＧＡコネクタ３０Ａと、キーボードやマウスから操作信号を入力するためのキーボード／マウスコネクタ３０Ｂとが設けられている。従って、送信装置１０の筐体表面に設けられたＶＧＡコネクタ１０Ｂは、例えばＢＮＣケーブルやＤ−ｓｕｂ１５ｐｉｎケーブル等を用いて構成したＲＧＢケーブル２００Ａを用いて、サーバ３０の筐体表面に設けられているＶＧＡコネクタ３０Ａに接続される。また同じく、送信装置１０の筐体表面に設けられたキーボード／マウスコネクタ１０Ｃは、例えばＰＳ／２ケーブルやＵＳＢケーブルやその他のシリアルケーブル等、一般的なキーボード及びマウスの接続に使用されるケーブル３００Ａを用いて、サーバ３０の筐体表面に設けられているキーボード／マウスコネクタ３０Ｂに接続される。
【００３３】
受信装置２０は、ディスプレイ４０へ画像信号（ＲＧＢ），水平同期信号及び垂直同期信号を出力するためのディスプレイコネクタとしてＶＧＡ（ＶｉｄｅｏＧｒａｐｈｉｃｓ  Ａｒｒａｙ）コネクタ２０Ｂを有する。このＶＧＡコネクタ１０Ｂには例えばＢＮＣコネクタやＤ−ｓｕｂ１５ｐｉｎコネクタ等の一般的なコネクタを使用することができる。ＶＧＡコネクタ２０Ｂにはディスプレイ４０に設けられたＲＧＢケーブル２００Ｂが接続される。尚、ＲＧＢケーブル２００Ｂにも例えばＢＮＣケーブルやＤ−ｓｕｂ１５ｐｉｎケーブル等を用いて構成されている。
【００３４】
また、受信装置２０は、キーボード／マウス５０から操作信号を入力するためのキーボード／マウスコネクタ２０Ｃを有する。このキーボード／マウスコネクタ１０Ｃも、例えばＰＳ／２コネクタやＵＳＢコネクタやその他のシリアルコネクタ等、一般的なキーボード及びマウスの接続に使用されるコネクタを使用することができる。キーボード／マウスコネクタ２０Ｃにはキーボード／マウス５０に設けられたケーブル３００Ｂが接続される。尚、ケーブル３００Ｂも例えば例えばＰＳ／２ケーブルやＵＳＢケーブルやその他のシリアルケーブル等、一般的なキーボード及びマウスの接続に使用されるケーブル等を用いて構成されている。
【００３５】
次に、送信装置１０及び受信装置２０の内部構成について図面を用いて詳細に説明する。尚、以下の説明では、Ｒ，Ｇ，Ｂの画像信号のうち画像信号（Ｇ）に水平同期信号（ＨＳＹＮＣ：以下、同期信号ＨＳＹＮＣという）を重畳し、画像信号（Ｂ）に垂直同期信号（ＶＳＹＮＣ：以下、同期信号ＶＳＹＮＣという）を重畳する場合を例に挙げて説明する。
【００３６】
図２は、本実施形態による送信装置１０の内部構成を示すブロック図である。図２に示すように、送信装置１０は、ＶＧＡコネクタ１０Ｂから入力された画像信号（ＲＧＢ）のうち、画像信号（Ｇ）に同期信号ＨＳＹＮＣを重畳し、画像信号（Ｂ）に同期信号ＶＳＹＮＣを重畳するための同期信号・画像信号重畳回路１１ａ，１１ｂを有する。
【００３７】
同期信号・画像信号重畳回路１１ａには、画像信号（ＲＧＢ）のうち画像信号（Ｇ）が入力される。また、同期信号・画像信号重畳回路１１ａには、同期信号（ＨＳＹＮＣ）も入力される。更に、同期信号・画像信号重畳回路１１には常時、中間電位（ＤＣ）が印加されている。また同様に、同期信号・画像信号重畳回路１１ｂには、画像信号（ＲＧＢ）のうち画像信号（Ｂ）が入力される。また、同期信号・画像信号重畳回路１１ｂには、同期信号（ＶＳＹＮＣ）も入力される。更に、同期信号・画像信号重畳回路１１には常時、中間電位（ＤＣ）が印加されている。尚、一般的な画像信号（ＲＧＢ）の電圧レベルは高くとも１Ｖ程度であり、一般的な同期信号の電圧レベルは内部電圧レベルと同等な５Ｖ程度である。また、中間電位（ＤＣ）は、画像信号の電圧レベルよりも大きく、同期信号の電圧レベルよりも低い値に設定される。本実施形態では、これを２．５Ｖとする。
【００３８】
同期信号・画像信号重畳回路１１ａ及び１１ｂの動作を、図３を用いて詳細に説明する。尚、同期信号・画像信号重畳回路１１ａ及び１１ｂの構成及び動作は共に同様であるため、以下では同期信号・画像信号重畳回路１１ａの構成及び動作についてのみ説明する。図３（ａ）は重畳する前の同期信号（ＨＳＹＮＣ）と画像信号（Ｇ）と中間電位（ＤＣ）とを示す。図３（ｂ）はこれらを重畳した後の信号、すなわち同期信号（ＨＳＹＮＣ）・画像信号（Ｇ）重畳信号を示す。
【００３９】
同期信号・画像信号重畳回路１１ａはマルチプレクサを含んで構成される。同期信号（ＨＳＹＮＣ）はマルチプレクサの出力を切り替える切替信号として使用する。同期信号・画像信号重畳回路１１ａは、図３（ａ）のように、同期信号（ＨＳＹＮＣ）が入力された期間、出力に中間電位（ＤＣ）を選択し、これ以外の期間、画像信号（Ｇ）を選択して出力する。これにより、図３（ｂ）に示すように、電圧レベルが２．５Ｖとなる同期信号（ＨＳＹＮＣ）が画像信号（Ｇ）に重畳された同期信号（ＨＳＹＮＣ）・画像信号（Ｇ）重畳信号を得ることができる。
【００４０】
尚、本実施形態では画像信号（Ｒ）以外の画像信号（Ｇ），（Ｂ）にそれぞれ同期信号を重畳するように構成したが、これに限定されず、何れの画像信号と同期信号との組み合わせであっても良い。
【００４１】
以上のように得られた画像信号（Ｒ），同期信号（ＨＳＹＮＣ）・画像信号（Ｇ）重畳信号及び同期信号（ＶＳＹＮＣ）・画像信号（Ｂ）重畳信号は、ネットワークＩ／Ｆ１０Ａに入力される。ネットワークＩ／Ｆ１０Ａは、入力された各信号をＬＡＮケーブル１００における予め定められた何れかの信号線に割り当て、これを受信装置２０へ送信する。
【００４２】
また、図４は、本実施形態による受信装置２０の内部構成を示すブロック図である。図４に示すように、受信装置２０は、ネットワークＩ／Ｆ２０Ａで受信された信号のうち、同期信号・画像信号重畳信号を分離する同期信号・画像信号分離回路２１ａ，２１ｂと、同期信号を検出する同期信号検出回路２２ａ，２２ｂと、画像信号（Ｇ），（ｂ）の時間的な遅延量（スキュー）を調整する画像信号スキュー調整回路２３ａ，２３ｂとを有する。尚、画像信号（Ｒ）は予め固定された遅延素子（図中ＤＬＹで示す）２４で所定時間、遅延されるように構成する。
【００４３】
同期信号・画像信号分離回路２１ａには、同期信号（ＨＳＹＮＣ）・画像信号（Ｇ）重畳信号が入力される。また、同期信号（ＨＳＹＮＣ）・画像信号（Ｇ）重畳信号は、同期信号検出回路２２ａにも入力される。また、同期信号検出回路２２ａには基準信号Ｖｒｅｆも入力される。この基準信号Ｖｒｅｆは、中間電位（ＤＣ）の電圧レベル（但し、受信側での電圧レベル）よりも低く、且つ画像信号の電圧レベルよりも高い電圧レベルに設定される。本実施形態では、これを例えば２．０Ｖとする。同様に、同期信号・画像信号分離回路２１ｂには、同期信号（ＶＳＹＮＣ）・画像信号（Ｂ）重畳信号が入力される。また、同期信号（ＶＳＹＮＣ）・画像信号（Ｂ）重畳信号は、同期信号検出回路２２ｂにも入力される。また、同期信号検出回路２２ｂには上述と同様の基準信号Ｖｒｅｆも入力される。尚、同期信号・画像信号分離回路２１ａ及び２１ｂ、並びに同期信号検出回路２２ａ及び２２ｂの構成及び動作は、それぞれ同様であるため、以下では、同期信号・画像信号分離回路２１ａと同期信号検出回路２２ａとの構成及び動作についてのみ説明する。
【００４４】
同期信号検出回路２２ａは、比較器（コンパレータ）を含んで構成される。同期信号検出回路２２ａは入力された基準信号Ｖｒｅｆをトリガレベルとする。従って、図５（ａ）に示すように、入力された同期信号（ＨＳＹＮＣ）・画像信号（Ｇ）重畳信号の電圧レベルがＶｒｅｆを超えた期間、これを同期信号（ＨＳＹＮＣ）として出力する（図５（ｂ）参照）。出力された同期信号（ＨＳＹＮＣ）は、ＶＧＡコネクタ２０Ｂを介してディスプレイ４０へ入力されると共に、同期信号・画像信号分離回路２１ａへ入力される。
【００４５】
同期信号・画像信号分離回路２１ａは、マルチプレクサを含んで構成される。同期信号検出回路２２ａで検出された同期信号（ＨＳＹＮＣ）は、マルチプレクサの出力を切り替える切替信号として使用される。同期信号・画像信号分離回路２１ａは、図６（ａ）のように、同期信号（ＨＳＹＮＣ）が入力された時、出力に接地電位を選択し、これ以外のとき、同期信号（ＨＳＹＮＣ）・画像信号（Ｇ）重畳信号を選択して出力する。これにより、図６（ａ）に示すように、画像信号（Ｇ）のみを取り出して出力することができる。
【００４６】
以上のようにして分離された画像信号（Ｇ），（Ｂ）及び同期信号（ＨＳＹＮＣ），（ＶＳＹＮＣ）のうち、画像信号（Ｇ），（Ｂ）は、それぞれ画像信号スキュー調整回路２３ａ，２３ｂに入力される。尚、画像信号スキュー調整回路２３ａの２３ｂの構成及び動作は、それぞれ同様であるため、以下では、画像信号スキュー調整回路２３ａの構成及び動作についてのみ説明する。
【００４７】
画像信号スキュー調整回路２３ａは、図７に示す遅延素子２３ａ−１を有して構成される。遅延素子２３ａ−１は、可変インピーダンスＬ０と、これに直列に接続された抵抗Ｒ０とを有する。抵抗Ｒ０の他の一端は接地されている。可変インピーダンスＬ０のインピーダンス調整機構は、素子外部のスキュー調整つまみ２３ａ−２に連結される。従って、ユーザはスキュー調整つまみ２３ａ−２を操作することで、遅延素子２３ａ−１による遅延量を調整することができる。尚、遅延素子２３ａ−１の入力段には入力整合抵抗Ｒｉｎが設けられ、インピーダンス整合が図られている。
【００４８】
以上のような画像信号スキュー調整回路２３ａ，２３ｂを用いて各画像信号（ＲＧＢ）の遅延量を調整することで、図８（ａ）に示すような遅延量の差（伝送時間の差）が存在した場合でも、図８（ｂ）に示すように、これらの同期を得ることが可能となる。
【００４９】
次に、受信装置２０に設けられたスキュー調整つまみ２３ａ−２，２３ｂ−２及びスキュー調整時の調整画面について、図９を用いて詳細に説明する。図９（ａ）はスキュー調整つまみ２３ａ−２，２３ｂ−２を含む受信装置２０の筐体背面の構成を示す外観図である。図９（ｂ）は、スキュー調整時にディスプレイ４０に表示される調整画面を示す図である。
【００５０】
図９（ａ）に示すように、筐体６１の背面には、ＬＡＮケーブル１００が差し込まれるネットワークＩ／Ｆ２０Ａ（特にジャック）と、ＲＧＢケーブル２００Ｂが差し込まれるＶＧＡコネクタ２０Ｂと、ケーブル３００Ｂが差し込まれるキーボード／マウスコネクタ２０Ｃとが設けられており、更に画像信号スキュー調整回路２３ａ，２３ｂにおける遅延素子２３ａ−１，２３ｂ−１の遅延量を調整するためのスキュー調整つまみ２３ａ−２，２３ｂ−２とが設けられている。この他、電源ケーブルが差し込まれる電源６２も設けられている。
【００５１】
スキュー調整つまみ２３ａ−２は、ユーザが遅延量を調整するためにスライドさせるつまみ２３ａ−２ａと、つまみ２３ａ−２ａのスライド方向に開口されたスライド２３ａ−２ｂとを有して構成される。同様に、スキュー調整つまみ２３ｂ−２は、ユーザが遅延量を調整するためにスライドさせるつまみ２３ｂ−２ａと、つまみ２３ｂ−２ａのスライド方向に開口されたスライド２３ｂ−２ｂとを有して構成される。但し、このように、スキュー調整つまみ２３ａ−２，２３ｂ−２を筐体６１の表面に形成しても良いが、これに限定されず、筐体６１内部に設けても良い。
【００５２】
次に、スキュー調整つまみ２３ａ−２，２３ｂ−２を用いて、画像信号（ＲＧＢ）の同期を調整する手順を図９（ｂ）を用いて説明する。図９（ｂ）において、ディスプレイ４０の画面中央に表示された中央線（Ｒ）は、調整対象としていない、すなわち基準とする画像信号（Ｒ）に基づいて表示した基準線である。尚、この中央線（Ｒ）は、調整中、常に画面中央に固定されて表示されるように構成する。尚、画面中左右方向を時間軸としている。画面に表示された緑線（Ｇ）は、画像信号（Ｒ）を基準とした画像信号（Ｇ）の同期ずれを相対的（但し、基準は例えば５ｎｓとする）に表示した線である。すなわち、画面右方向を正方向とすると、画像信号（Ｇ）は画像信号（Ｒ）に対して遅れている。そこで、ユーザは、画像信号（Ｇ）の遅延量をマニュアルで調整するためのつまみ２３ａ−２ａを図面中右方向スライドさせる。これにより、遅延素子２３ａ−１における可変インピーダンスＬ０の値が小さくなり、遅延量が減少する。ユーザは、画面を見ながら、緑線（Ｇ）と中央線（Ｒ）とが重なるまで、つまみ２３ａ−２ａをスライドさせる。緑線（Ｇ）と中央線（Ｒ）とが重なった状態が、画像信号（Ｒ）と画像信号（Ｇ）との同期が図られた状態である。また、画面に表示された青線（Ｂ）は、画像信号（Ｒ）を基準とした画像信号（Ｂ）の同期ずれを相対的に表示した線である。これも、上記の緑線（Ｇ）と同様に、つまみ２３ｂ−２ａをスライドさせることで、画像信号（Ｒ）に同期させることが可能である。
【００５３】
図９（ｂ）に示すような画面は、例えば受信装置２０から送信装置１０へ、テストモードとして、図９（ｂ）に示すような画面を要求することで表示されるように構成してもよい。このテストモードの要求は、図９（ａ）に示す受信装置２０の背面におけるテストモードボタン２３ｃをユーザが押下することで行われるように構成しても良い。すなわち、ユーザがテストモードボタン２３ｃを押下すると、受信装置２０は内部でテストモードの要求命令を生成し、これをＬＡＮケーブル１００を介して受信装置２０へ送信する。尚、この要求命令の送信に使用するＬＡＮケーブル１００における信号線は、キーボード／マウス５０からの操作信号を送信する信号線を用いることが好ましい。また、送信装置１０は、受信したデータグラムにおいて、テストモードの要求命令が存在すると、所定のプロセスを立ち上げ、図９（ｂ）に示すような画面を表示するための画像信号を受信装置２０へ送信する。尚、この画像信号は送信側（送信装置１０）において遅延が無い状態である。
【００５４】
但し、画像信号間の遅延量の違いの調整は、上記図９（ｂ）で示したような画面に基づく方法に限らず、例えば通常の表示画面に基づいて行っても良い。
【００５５】
以上のように構成することで、ユーザは画面を見ながら視覚的に画像信号の同期を取ることができるため、調整が容易であり、且つ画像信号に他の信号が重畳されている場合でも、ケーブル長の違いや伝送特性の違いに起因して生じる各画像信号の位相ずれを調整することができる。
【００５６】
〔第２の実施形態〕
次に、本発明の第２の実施形態について図面を用いて詳細に説明する。図１０は、本実施形態による受信装置７０の内部構成を示すブロック図である。尚、第１の実施形態と同様の構成には、同一の参照番号を付して説明する。
【００５７】
本実施形態は、第１の実施形態による受信装置７０と相違して、画像信号間の遅延量の調整を自動化するように構成している。これを実現するために、本実施形態では、第１の実施形態における画像信号スキュー調整回路２３ａ，２３ｂが画像信号スキュー調整回路７３Ａ，７３Ｂに置き換えられている。尚、画像信号スキュー調整回路７３Ａ，７３Ｂの構成及び動作は同様であるため、以下では、画像信号スキュー調整回路７３Ａの構成及び動作についてのみ説明する。
【００５８】
本実施形態による画像信号スキュー調整回路７３Ａは、カウンタ７４Ａとデコーダ７５Ａと、マルチプレクサ７６Ａと、遅延素子（図中ＤＬＹで示す）７７Ａ−１，７７Ａ−２，７７Ａ−３とを有して構成される。
【００５９】
カウンタ７４Ａには、画像信号（Ｒ）と、同期信号（ＨＳＹＮＣ）・画像信号（Ｇ）分離回路２１Ａから出力された画像信号（Ｇ）と、所定周期のクロック信号とが入力される。カウンタ７４Ａは、画像信号（Ｒ）が入力されると、カウントアップを開始し、画像信号（Ｇ）が入力されるとカウント値をアップを終了する。その後、この際のカウント値をデコーダ７５Ａへ入力すると共に、カウント値をリセットする。尚、画像信号（Ｇ）が画像信号（Ｒ）よりも常に遅いタイミングでカウンタへ入力されるように構成するために、同期信号（ＨＳＹＮＣ）・画像信号（Ｇ）分離回路２１Ａの出力段、又はカウンタ７４Ａにおける画像信号（Ｇ）の入力段には、予測される遅延量の差以上、信号を遅延させる遅延素子７８Ａを設けておく。これにより、画像信号（Ｒ）が常に画像信号（Ｇ）よりも先にカウンタ７４Ａに入力するように構成できる。
【００６０】
また、同期信号（ＨＳＹＮＣ）・画像信号（Ｇ）分離回路２１Ａから出力された画像信号（Ｇ）は、上記の遅延素子７８Ａを介した後、分岐して複数（図１０では例として３つ）の遅延素子７７Ａ−１，７７Ａ−２，７７Ａ−３に入力される。各遅延素子７７Ａ−１，７７Ａ−２，７７Ａ−３の遅延量は異なる。本実施形態では、例えば遅延素子７７Ａ−１が２０ｎｓ、遅延素子７７Ａ−２が４０ｎｓ，遅延素子７７Ａ−３が６０ｎｓとする。各遅延素子７７Ａ−１，７７Ａ−２，７７Ａ−３の出力は、マルチプレクサ７６Ａに入力される。
【００６１】
また、デコーダ７５Ａは、カウンタ７４Ａから入力されたカウント値をデコードし、マルチプレクサ７６Ａに出力の選択信号を入力する。従って、マルチプレクサ７６Ａは、カウント値に基づいてデコーダされた選択信号に基づいて、何れのか遅延素子７７Ａ−１，７７Ａ−２，７７Ａ−３で遅延された画像信号（Ｇ）を選択的に出力する。これにより、遅延された画像信号（Ｇ）において、最も適した遅延がなされた画像信号（Ｇ）を自動的に選択して出力することが可能となる。尚、他の構成は、スキュー調整つまみ２３ａ−２，２３ｂ−２が省略される以外、上記した第１の実施形態と同様であるため、ここでは説明を省略する。
【００６２】
〔他の実施形態〕
以上、説明した実施形態は本発明の好適な一実施形態にすぎず、本発明はその趣旨を逸脱しない限り種々変形して実施可能である。
【００６３】
【発明の効果】
以上説明したように、本発明によれば、画像信号に他の信号が重畳されている場合でも、ケーブル長の違いや伝送特性の違いに起因して生じる各画像信号の位相ずれを調整できる遠隔ユニット及び遠隔システムを実現できる。
【図面の簡単な説明】
【図１】本発明の第１の実施形態による遠隔システムの構成を示すブロック図である。
【図２】本発明の第１の実施形態による送信装置１０の内部構成を示すブロック図である。
【図３】図２における同期信号・画像信号重畳回路１１ａ及び１１ｂの動作を説明するための波形図であり、（ａ）は重畳前の同期信号，画像信号及び中間電位（ＤＣ）の波形を示す図であり、（ｂ）は重畳後の同期信号・画像信号重畳信号の波形を示す図である。
【図４】本発明の第１の実施形態による受信装置２０の内部構成を示すブロック図である。
【図５】図４における同期信号検出回路２２ａ及び２２ｂの動作を説明するための波形図であり、（ａ）は分離前の同期信号・画像信号重畳信号の波形を示す図であり、（ｂ）は分離後の同期信号の波形を示す図である。
【図６】図４における同期信号・画像信号分離回路２１ａ及び２１ｂの動作を説明するための波形図であり、（ａ）は分離前の同期信号・画像信号重畳信号及び同期信号の波形を示す図であり、（ｂ）は分離後の画像信号の波形を示す図である。
【図７】本発明の第１の実施形態による画像信号スキュー調整回路２３ａの構成を示す図である。
【図８】本発明の第１の実施形態による画像信号スキュー調整回路２３ａ及び２３ｂにより画像信号（ＲＧＢ）の遅延量が調整される様子を示す波形図であり、（ａ）は調整前の画像信号（ＲＧＢ）の波形図を示し、（ｂ）は調整後の画像信号（ＲＧＢ）の波形図を示す。
【図９】（ａ）は本発明の第１の実施形態によるスキュー調整つまみ２３ａ−２及び２３ｂ−２を含む受信装置２０の筐体背面の構成を示す外観図であり、（ｂ）はスキュー調整時にディスプレイ４０に表示される調整画面を示す図である。
【図１０】本発明の第２の実施形態による受信装置７０の内部構成を示すブロック図である。
【符号の説明】
１０  受信装置
１０Ａ、２０Ａ  ネットワークＩ／Ｆ
１０Ｂ、２０Ｂ、３０Ａ  ＶＧＡコネクタ
１０Ｃ、２０Ｃ、３０Ｂ  キーボード／マウスコネクタ
１１ａ、１１ｂ  同期信号・画像信号重畳回路
２１ａ、２１ｂ  同期信号・画像信号分離回路
２２ａ、２２ｂ  同期信号検出回路
２３ａ、２３ｂ、７３Ａ、７３Ｂ  画像信号スキュー調整回路
２３ａ−１、２３ｂ−１、２４、７７Ａ−１、７７Ａ−２、７７Ａ−３、７８Ａ、７８Ｂ、７７Ｂ−１、７７Ｂ−２、７７Ｂ−３  遅延素子
２３ａ−２、２３ｂ−２  スキュー調整つまみ
２３ａ−２ａ、２３ｂ−２ａ  つまみ
２３ａ−２ｂ、２３ｂ−２ｂ  スライドレール
２３ｃ  テストモードボタン
２０、７０  受信装置
３０  サーバ
４０  ディスプレイ
５０  キーボード／マウス
６１  筐体
６２  電源
７４Ａ、７４Ｂ  カウンタ
７５Ａ、７５Ｂ  デコーダ
７６Ａ、７６Ｂ  マルチプレクサ
１００  ＬＡＮケーブル
２００Ａ、２００Ｂ  ＲＧＢケーブル
３００Ａ、３００Ｂ  ケーブル
Ｒ、Ｇ、Ｂ  画像信号
ＨＳＹＮＣ  水平同期信号
ＶＳＹＮＣ  垂直同期信号
Ｌ０  可変インピーダンス
Ｒ０  抵抗
Ｒｉｎ  入力整合抵抗
【図１】
2004356939.tif 000003
【図２】
2004356939.tif 000004
【図３】
2004356939.tif 000005
【図４】
2004356939.tif 000006
【図５】
2004356939.tif 000007
【図６】
2004356939.tif 000008
【図７】
2004356939.tif 000009
【図８】
2004356939.tif 000010
【図９】
2004356939.tif 000011
【図１０】
2004356939.tif 000012